(57)【要約】【課題】地中にねじ込まれた中空木ネジ状螺旋杭に、立設されるべきポールの垂直状態を、簡単な構造と手段で調整できる芯出し調整機能を備えた螺旋杭を提供する。【解決手段】中空木ネジ状で、下端の錐状部分１１から上方にスクリューＳが形成され、スクリューＳの上部で傾斜段部１３が形成されて大径になり、その大径部分１４の上端にフランジＦを一体に設けて開口し、このフランジＦの同心円上の等分位置に円弧状長孔１６を設け、上記大径部分１４の内側底部に立設すべきポールＰの下端を受け止める受け座１５を設け、上記フランジＦの上面に、中心にポールＰの貫通孔２１を設け、上記フランジＦに設けた円弧状長孔１６に対応する位置に、中心線に沿った長孔１７を設けたポール支持板２２を置いて上記フランジＦの円弧状長孔１６と上記ポール支持板２２の長孔１７に亘ってボルト・ナット２３を挿し込み締結してなる。【選択図】図１
2006207286.tif 000002
【特許請求の範囲】
【請求項１】
中空木ネジ状で、下端の錐状部分から上方にスクリューが形成され、スクリューの上部で傾斜段部が形成されて大径になり、その大径部分の上端にフランジを一体に設けて開口し、このフランジの同心円上の等分位置に円弧状長孔を設け、上記大径部分の内側底部に立設すべきポールの下端を受け止める受け座を設け、上記フランジの上面に、中心にポールの貫通孔を設け、上記フランジに設けた円弧状長孔に対応する位置に、中心線に沿った長孔を設けたポール支持板を置いて、上記フランジの円弧状長孔と上記ポール支持板の長孔に亘ってボルト・ナットを挿し込み締結するようにしてなる芯出し機能付き螺旋杭。
【請求項２】
中空木ネジ状で、下端の錐状部分から上方にスクリューが形成され、スクリューの上部で傾斜段部が形成されて大径になり、その大径部分の上端に環状リブを形成して開口し、上記大径部分に遊嵌して環状リブの下側に宛がう座金の同心円上の等分位置に雌ネジまたはバカ孔を設け、上記大径部分の内側底部に立設すべきポールの下端を受け止める受け座を設け、上記環状リブの上面に、中心にポールの貫通孔を設け、上記座金に設けた雌ネジまたはバカ孔に対応する位置に、中心線に沿った長孔を設けたポール支持板を置いて、上記座金の雌ネジまたはバカ孔と上記ポール支持板の長孔に亘ってボルトまたはボルト・ナットを挿し込み締結するようにしてなる芯出し機能付き螺旋杭。
【発明の詳細な説明】
【技術分野】
【０００１】
この発明は、地中にねじ込まれた中空木ネジ状の螺旋杭に、立設すべきポールを挿し込み、その垂直状態を調整可能にした芯出し機能付き螺旋杭に関する。
【背景技術】
【０００２】
本出願人は、特願２００５-２８８４号（基礎出願特願２００４-２７３６７８号）で、地中にねじ込む螺旋杭の提案をした。
【０００３】
上記提案は、地中にねじ込む中空木ネジ状螺旋杭の構造と、その螺旋杭をねじ込むための治具と、地中にねじ込んだ螺旋杭に立設すべきポールを挿し込み、その垂直状態を調整するための治具に関するもので、特に、垂直状態を調整する手段はよく考えたものであるが、よく考えすぎて調整操作が複雑であり、調整のための部品・部材が多く、材料コスト面と、作業の簡便性に問題が残っていた。
【０００４】
実際、上記提案の垂直状態を調節する機能を備えた螺旋杭を顧客に紹介したところ、よく考えられているが、もっと構造が簡単で調整し易いものが欲しいとの意見が出された。
【発明の開示】
【発明が解決しようとする課題】
【０００５】
上記状況に鑑みこの発明は、地中にねじ込まれた中空木ネジ状螺旋杭に、立設されるべきポールの垂直状態を、簡単な構造と手段で調整できる芯出し調整機能を備えた螺旋杭を提供することを課題とする。
【課題を解決するための手段】
【０００６】
上記課題を解決するためにこの発明は、中空木ネジ状で、下端の錐状部分から上方にスクリューが形成され、スクリューの上部で傾斜段部が形成されて大径になり、その大径部分の上端にフランジを一体に設けて開口し、このフランジの同心円上の等分位置に円弧状長孔を設け、上記大径部分の内側底部に立設すべきポールの下端を受け止める受け座を設け、上記フランジの上面に、中心にポールの貫通孔を設け、上記フランジに設けた円弧状長孔に対応する位置に、中心線に沿った長孔を設けたポール支持板を置いて、上記フランジの円弧状長孔と上記ポール支持板の長孔に亘ってボルト・ナットを挿し込み締結するようにしてなる。
【０００７】
また、中空木ネジ状で、下端の錐状部分から上方にスクリューが形成され、スクリューの上部で傾斜段部が形成されて大径になり、その大径部分の上端に環状リブを形成して開口し、上記大径部分に遊嵌して環状リブの下側に宛がう座金の同心円上の等分位置に雌ネジまたはバカ孔を設け、上記大径部分の内側底部に立設すべきポール下端を受け止める受け座を設け、上記環状リブの上面に、中心にポールの貫通孔を設け、上記座金に設けた雌ネジまたはバカ孔に対応する位置に、中心線に沿った長孔を設けたポール支持板を置いて、上記座金の雌ネジまたはバカ孔と上記ポール支持板の長孔に亘ってボルトまたはボルト・ナットを挿し込み締結するようにしてなるものである。
【発明の効果】
【０００８】
上記の如く構成するこの発明によれば、螺旋杭上のフランジまたは環状リブの下側に宛がう座金と、ポール支持板とを円周方向と中心線方向に摺動調整するだけで立設すべきポールの垂直状態を簡単に調整でき、しかも、部材・部品数が少なく経済性も大幅に改善することができる。
【発明を実施するための最良の形態】
【０００９】
次にこの発明の実施形態を、図面を参照しながら説明する。
【実施例１】
【００１０】
図１、２に示すように、螺旋杭１０は、中空木ネジ状で、下端の錐状部分１１から上方にスクリューＳが形成され、スクリューＳの上部で傾斜段部１３が形成されて大径になり、その大径部分１４の上端にフランジＦを、ネジ込み、または溶接（図示せず）等で一体に設けて開口したものである。
【００１１】
上記フランジＦには、同心円上の等分位置に円弧状長孔１６を設け、上記大径部分１４の内側底部には、立設すべき二本のポールＰの下端を受け止める受け座１５を設けている。なお、上記受け座１５の断面は二本のポールＰを受けるためにメガネ孔になっているが、ポールが一本のときは一個の円形孔となる。
【００１２】
上記フランジＦの上面には、中心に二本のポールＰが貫通する二個の貫通孔２１を設け、上記フランジＦに設けた円弧状長孔１６に対応する位置に、中心線に沿った長孔１７を設けたポール支持板２２を置いて、上記フランジＦの円弧状長孔１６と上記ポール支持板２２の長孔１７に亘ってボルト・ナット２３を挿し込み締結するようになっている。
【００１３】
なお、ここで立設すべきポールＰが一本のときは、ポール支持板２２の貫通孔２１は一個となり、ポールの受け座１５も一個の孔となる。
【００１４】
地中にねじ込んだ上記螺旋杭１０にポールＰを立設するときは、先ずポール支持板２２の貫通孔２１にポールＰを貫通させ、ポールＰの下端にポールの受け座１５を取付け、その受け座１５を螺旋杭１０の内側底部に回転可能に挿入し、ポール支持板２２を螺旋杭１０のフランジ上に円弧状長孔１６と長孔１７を一致させて載置する。
【００１５】
次に、上記円弧状長孔１６とポール支持板２２の長孔１７に亘ってボルト２３ａを挿し込み、下からナット２３ｂ（図３参照）を螺合して仮止め状態にし、この状態で水準器を当てるか下げ振りを下ろして垂直状態を確認し、ポール支持板２２を所要の方向にずらせて垂直状態を調整する。
【００１６】
また、図５に示すようにトラマークフェンスＴのポールＰを立設するときは、二本のポールＰがトラマークフェンスＴの設置方向に並ぶ必要があるので、垂直状態を崩さないように注意をしながらポール支持板２２を円弧状長孔１７に沿って周方向に回して調整し、調整が完了するとボルト・ナット２３を完全に締め付けて調整は完了する。なお、円弧状長孔１６の調整範囲を超えるときは、ボルト・ナット２３を外して位置替えをして再度調整する。
【実施例２】
【００１７】
図３に示すように、螺旋杭１０の本体部分は、実施例１と同じであるから説明を省略する。ただ、大径部分１４の上端に環状リブ１８を形成して開口しているところが相違する。
【００１８】
この環状リブ１８には、その下側大径部分１４に座金１９が遊嵌して下側から宛がうようになり、この座金１９の同心円上の等分位置にバカ孔２４（雌ネジでもよい）を設け、上記大径部分１４の内側底部に立設すべきポールの下端を受け止める受け座１５（図１参照）を設け、上記環状リブ１８の上面に、中心にポールＰの貫通孔２１を設け、上記座金１９に設けたバカ孔２４に対応する位置に、中心線に沿った長孔１７を設けたポール支持板２２を載置し、上記座金のバカ孔２４と上記ポール支持板２２の長孔１７に亘ってボルト２３ａを挿し込みナット２３ｂを螺合して締結する。
【００１９】
なお、ここで立設すべきポールが一本のときは、ポール支持板２２の貫通孔２１は一個となり、ポールの受け座１５も一個の孔となる。
【００２０】
地中にねじ込んだ上記螺旋杭１０にポールＰを立設するときは、先ずポール支持板２２の貫通孔２１にポールＰを貫通させ、ポールＰの下端にポールの受け座１５（図１参照）を取付け、その受け座１５を螺旋杭１０の内側底部に回転可能に挿入し、ポール支持板２２を環状リブ１８上にバカ孔２４と長孔１７とを一致させて載置する。
【００２１】
次に、螺旋杭１０を地中にねじ込む前から予め大径部分１４に遊嵌しておいた座金１９を持ち上げて上記ポール支持板２２の長孔１７と座金のバカ孔２４とを一致させ、上記長孔１７とバカ孔２４に亘ってボルト・ナット２３を挿し込み仮止めする。ここで、上記座金１９の直下にビスねじを立てているが、これは座金１９が不用意に下がらないように止めるためのものである。
【００２２】
この状態では、ポール支持板２２は中心線方向に摺動させることができ、座金１９は螺旋杭１０を中心にして周囲方向に３６０度回転させることができる。従って、螺旋杭１０に挿し込まれたポールＰは、垂直状態の調整も、二本のポールの向きも調整可能の状態になる。
【００２３】
この状態で水準器を当てるか、下げ振りを下ろして垂直状態を確認しながらポール支持板２２を所要の方向にずらせて垂直状態を調整する。
【００２４】
また、図５に示すようにトラマークフェンスＴのポールＰを立設するときは、二本のポールＰがトラマークフェンスＴの設置方向に並ぶ必要があるので、垂直状態を崩さないように注意をしながらポール支持板２２を座金１９と共に回して調整し、調整が完了するとボルト・ナット２３を完全に締め付けて調整は完了する。
【００２５】
図４は、ポール支持板２２の具体的な３例を示す。同図（ａ）は上記各実施例で説明済みのものである。また、同図（ｂ）は長孔を設ける部分を残し、他の部分を削り取った形状としたものである。また、同図（ｃ）は長孔を中心線に対して４５度傾斜させたものである。
【産業上の利用可能性】
【００２６】
以上説明したようにこの発明によれば、螺旋杭上のフランジまたは環状リブの下側に遊嵌して宛がう座金と、ポール支持板とを円周方向と中心線方向に摺動調整するだけで立設すべきポールの垂直状態を調整でき、しかも、部材・部品数が少なく経済性も大幅に改善することができる。
【図面の簡単な説明】
【００２７】
【図１】本発明に係る実施例１の一部切り欠き正面図
【図２】実施例１の要部拡大斜視図
【図３】実施例２の要部拡大斜視図
【図４】ポール支持板の具体例で（ａ）その１、（ｂ）その２、（ｃ）その３
【図５】本発明の螺旋杭を適用したトラマークフェンス
【符号の説明】
【００２８】
１０  螺旋杭
１１  錐状部分
１２  透孔
１３  傾斜段部
１４  大径部分
１５  受け座
１６  円弧状長孔
１７  長孔（ポール支持板の）
１８  環状リブ
１９  座金
２０  ビスねじ
２１  貫通孔
２２  ポール支持板
２３  ボルト・ナット
２３ａ  ボルト
２３ｂ  ナット
２４  バカ孔
Ｆ  フランジ
Ｐ  ポール
Ｓ  スクリュー
Ｔ  トラマークフェンス
【図１】
2006207286.tif 000003
【図２】
2006207286.tif 000004
【図３】
2006207286.tif 000005
【図４】
2006207286.tif 000006
【図５】
2006207286.tif 000007